(57)【要約】【課題】パチンコ機を島に設置するあるいは島から外すときの作業効率を向上させることができるパチンコ機の外枠固定構造を提供する。【解決手段】パチンコ機の外枠１を島２０の所定の位置に載置し、外枠１の上板４及び下板５に取り付けられたレバー式釘打ち機構１０ａ〜１０ｄの操作レバー１２ａ〜１２ｄを、矢印１３ａ〜１３ｄ方向へ回転操作する。操作レバー１２ａ〜１２ｄの回転操作に伴ない、操作レバー１２ａ〜１２ｄに取り付けられた釘１１ａ〜１１ｄがレバー式釘打ち機構本体から突出し、上板４または下板５を貫通して島２０に圧入され、外枠１は島２０に固定される。操作レバー１２ａ〜１２ｄを矢印１３ａ〜１３ｄとは逆方向に回転させることにより、回転操作に伴ない釘１１ａ〜１１ｄが島２０から引き抜かれ、外枠１を島２０から外すことができる。【選択図】    図２
2004208826.tif 000002
【特許請求の範囲】
【請求項１】
複数のパチンコ機を並べて配置させるいわゆる島に、各パチンコ機を設置するためのパチンコ機の外枠固定構造において、
操作レバーの回転操作に伴なって釘を突出させ、該突出した釘をパチンコ機の外枠の上板から前記島へ、あるいは下板から前記島へ圧入させて、前記外枠の上板あるいは下板を前記島に固定するレバー式の釘打ち機構が、前記上板と下板に設けられていることを特徴とするパチンコ機の外枠固定構造。
【請求項２】
前記レバー式の釘打ち機構は、本体と、操作レバーと、該操作レバーの回転軸と、該軸が係合している前記本体に形成された軸ガイド穴と、前記操作レバーに取り付けられた釘とから構成され、前記釘の一部は前記本体の底面から下方外部に飛び出した状態で設けられており、
前記外枠を前記島に固定する前記操作レバーの回転操作以前の前記レバー式の釘打ち機構は、前記外枠の上板と下板に形成された板厚方向の釘ガイド穴に、前記下方外部に飛び出した釘の一部が挿入された状態で、前記外枠の上板と下板に取り付けられていることを特徴とする請求項１に記載のパチンコ機の外枠固定構造。
【請求項３】
前記レバー式の釘打ち機構は、前記外枠の上板と側板あるいは下板と側板とを連結するＬ字金具と一体成形されていることを特徴とする請求項１または２に記載のパチンコ機の外枠固定構造。
【発明の詳細な説明】
【０００１】
【発明の属する技術分野】
本発明は、複数のパチンコ機を並べて配置させる島に、各パチンコ機を設置するためのパチンコ機の外枠固定構造に関するものである。
【０００２】
【従来の技術】
パチンコ機島にパチンコ機を設置する場合には、各パチンコ機ごとに釘あるいはネジ等によって固定する方法が一般的である。具体的には、例えば、パチンコ機を新しい機種に入れ替える場合、それまで使用していた古い機種を島から外し、新しい機種の外枠の下側前縁を所定の位置に揃えて載置し、外枠下板の２ヶ所で釘打ち固定してから、次に島の固定部の上部前縁と外枠上板の前縁とに渡ってゲージを当てて、島に対して所定のねかせ角度に外枠を保持し、外枠上板の２ヶ所を上向きに釘打ち固定してから前枠を固定した外枠に装着するという手順を踏む。
【０００３】
しかしながら、このように一台ごとに釘あるいはネジ等を使用して設置する方法では、作業効率が悪く、また熟練した技能も必要となることから設置作業に多くの時間を要するという欠点があった。また、一旦パチンコ機を設置すると、打付けた釘等の取り外しが困難であるため、パチンコ機を新機種に入れ替える作業ではさらに多くの時間が必要となった。
【０００４】
そこで、この欠点を解決するために、島側にクランプ機構を利用した外枠固定装置を設け、さらに上側に設けたクランプ装置には、ねかせ調整機構を設けた遊技機止着具に関する発明が開示されている（例えば、特許文献１参照。）。
【０００５】
【特許文献１】
特許第２５２８０４６号公報（第３−４頁）
【０００６】
【発明が解決しようとする課題】
ところで、上述した従来の遊技機止着具に関する発明は、外枠を島から外す場合には、固定手段として釘を使用していないため釘抜き作業を必要としないという利点がある。また、外枠を島に装着する場合には、同様に釘を使用しないため釘打ち作業を必要としないという利点がある他、ねかせ調整機構によって最終的な調整精度を高くできるという利点もある。また、いずれの場合にも熟練した技能を必要とせず、釘打ち用のエアーコンプレッサー等の設備も必要としないという利点もある。
【０００７】
しかしながら、上述した従来の遊技機止着具では、ネジを使用しているため外枠を島から外す場合にも、島に装着する場合にもネジ締め作業を伴なうため、この作業に多くの時間が必要となり、作業効率を向上させるという面では十分に改善されていなかった。
【０００８】
また、近年は、いわゆる第一種のパチンコ機が主流であり、パチンコホールに設置される機種も第一種のパチンコ機の台数が多いのが現状である。そして、第一種のパチンコ機の場合には、図柄始動入賞口の左側の遊技盤面から直接遊技球が図柄始動入賞口に入賞し、その入賞ごとに当たり／外れの抽選が行なわれるため、遊技球の図柄始動入賞口への入賞は直接的には大当りに結びつかず、役物内の傾斜面の角度に大きな影響を受け、役物内の遊技球の動きが直接大当りに結びつく、いわゆる二種、三種のパチンコ機と比べて、パチンコ機全体のねかせ角度を精密に調整しなくても遊技者の獲得遊技球数に大きな差を生じることがない。従って、パチンコ機の設置作業においては、より効率的な設置手段が求められている。
【０００９】
そこで、本発明は、上記課題に鑑みてなされたものであり、パチンコ機（パチンコ機の外枠）を島に装着する場合および島から外す場合の作業効率を、大幅に向上させることができるパチンコ機の外枠固定構造の提供を目的とするものである。
【００１０】
【課題を解決するための手段】
上記課題を解決するために、請求項１に係るパチンコ機の外枠固定構造の発明は、複数のパチンコ機を並べて配置させるいわゆる島に、各パチンコ機を設置するためのパチンコ機の外枠固定構造において、操作レバーの回転操作に伴なって釘を突出させ、該突出した釘をパチンコ機の外枠の上板から前記島へ、あるいは下板から前記島へ圧入させて、前記外枠の上板あるいは下板を前記島に固定するレバー式の釘打ち機構が、前記上板と下板に設けられていることを特徴とするものである。
【００１１】
設置するパチンコ機の外枠を島の所定の位置に載置し、外枠の上板および下板に取り付けられたレバー式釘打ち機構の操作レバーを回転操作する。この操作レバーの回転に伴なって操作レバーに取り付けられた釘が突出し、上板または下板を貫通して島を構成する板に圧入され（以下、嵌入されともいう）、外枠は島の所定の位置に固定される（以下、設置されるともいう）。
【００１２】
設置機器に取り付けられたレバー操作により機器の外部にロッドを突出させ、突出したロッドを固定部に圧入して機器を固定する手段（テコ式留めにより釘を打ち込む装置）では、例えば、テーブル状の固定部に、テコ式留めにより釘を打ち込む装置を備えた機器を載置し、装置のレバーを操作して留め釘（ロッド）を突出させた場合、固定部の材質が硬いと留め釘は固定部内に圧入されず、機器がテーブルの上面から浮き上がってしまうという不具合が生じる。従って、このような構成においてのテコ式による固定方法は、機器が十分に重く、留め釘が細い等の要件を満たすことが必要となる。
【００１３】
しかしながら本願のパチンコ機を設置する島のような構成の場合、島の固定部は外枠の上側と下側の両方に存在し、外枠を島の固定部の間に挟む構造となるため、外枠に設けたレバーを操作して外枠の上下方向外部にロッドを突出させた場合、例えば、島の下側固定部にロッドを圧入させるときには、外枠の上板が島の上側固定部に当接して固定され、外枠（上述した設置機器に相当）は、レバー操作によって発生するテコの力に応じて、ロッドにより島に確実に固定される。
【００１４】
また、請求項２に係るパチンコ機の外枠固定構造の発明は、請求項１に記載の発明において、前記レバー式の釘打ち機構は、本体と、操作レバーと、該操作レバーの回転軸と、該軸が係合している前記本体に形成された軸ガイド穴と、前記操作レバーに取り付けられた釘とから構成され、前記釘の一部は前記本体の底面から下方外部に飛び出した状態で設けられており、前記外枠を前記島に固定する前記操作レバーの回転操作以前の前記レバー式の釘打ち機構は、前記外枠の上板と下板に形成された板厚方向の釘ガイド穴に、前記下方外部に飛び出した釘の一部が挿入された状態で、前記外枠の上板と下板に取り付けられていることを特徴とするものである。
【００１５】
外枠の上板と下板に形成した板厚方向の釘ガイド穴に、操作レバーに取り付けられた釘の一部を挿入させておくことにより、操作レバーの回転操作に伴なって突出する釘を、外枠の上板から島の固定部へ、あるいは下板から島の固定部へと的確方向に圧入させる。
【００１６】
また、請求項３に係るパチンコ機の外枠固定構造の発明は、請求項１または２に記載の発明において、前記レバー式の釘打ち機構は、前記外枠の上板と側板あるいは下板と側板とを連結するＬ字金具と一体成形されていることを特徴とするものである。Ｌ字金具と一体成形することにより、レバー式釘打ち機構の本体を容易かつ確実に外枠の上板あるいは下板に取り付けることができる。
【００１７】
【発明の実施の形態】
以下、本発明に係るパチンコ機の外枠固定構造の実施の形態を添付図面に基づいて説明する。
図１、図２に外枠固定構造を備えたパチンコ機の外枠の一形態を示す。
図１に示すように、パチンコ機の外枠１は、左右の側板２、３と上板４と下板５とから構成された、例えば、パラゴム材からなる木枠であり、側板２と上板４あるいは下板５、側板３と上板４あるいは下板５間はＬ字金具（Ｌ字補強金具ともいう）６によって連結補強されている。
【００１８】
上板４、下板５の内側面７、８には、レバー式釘打ち機構１０ａ〜１０ｄ（以下、レバー式釘打ち機構１０ａ〜１０ｄ全体を指すときはレバー式釘打ち機構１０ともいう）が設けられている。このレバー式釘打ち機構１０は、操作レバーの回転操作によって釘を突出させ、突出した釘を上板４あるいは下板５から島へと圧入させるものである。図１に示す外枠１は、島に設置される（以下、取り付けられるともいう）以前のものであり、それぞれのレバー式釘打ち機構１０ａ〜１０ｄの操作レバー１２ａ〜１２ｄは、回転操作範囲の一方の端部に配置された状態を示している（以下、操作レバー釘１２ａ〜１２ｄ全体を指すときは単に操作レバー１２ともいう）。また、それぞれのレバー式釘打ち機構１０ａ〜１０ｄの釘１１ａ〜１１ｄは、先端部が上板４内に挿入された状態であり、未だ上板４の上面から上方向（外枠１の上方外部）に突出していない（以下、釘１０ａ〜１０ｄ全体を指すときは単に釘１０ともいう）。この状態から操作レバー１２が回転操作されると、その回転に伴なって釘１１が突出し、島に圧入される（詳しくは後述する）。
【００１９】
図２に示すように、外枠１は、上板４の上面および下板５の下面が島２０（以下、島の固定部２０ともいう。図では見易くするため島の固定部２０に斜線を付してある。）と近接あるいは当接するように設置されている。上板４、下板５の内側面７、８に取り付けられた操作レバー１２は、図１に示すそれぞれの位置から、図２の矢印１３ａ〜１３ｄに示す方向に回転され、回転操作範囲の上記一方の端部とは逆側の一方の端部まで回転操作されている（以下、矢印１３ａ〜１３ｄ全体を指すときは単に矢印１３ともいう）。この矢印１３方向への操作レバー１２の回転操作に伴なって、釘１１が上板４または下板５を貫通して上板４の上面または下板５の下面から外部に突出し、島の固定部２０方向へ進行して、島の固定部２０内に圧入する。それぞれのレバー式釘打ち機構１０ａ〜１０ｄは、釘１１ａ〜１１ｄが最大の長さまで突出した状態を示しており、釘１０は島の固定部２０内に圧入されている（更に詳しくは後述する）。
【００２０】
ここで外枠が取り付けられる島の構造を図３に基づいて説明する。図に示す島は、従来の一般的な島と同様の構造を有するものであり、島本体３０はパチンコホールの床面に固定される複数の支持枠３１と、支持枠３１の下部に取り付けられる基台３２と、支持枠３１の上部から他の支持枠３１の上部に掛けて設けられた上部取付部３３とを備えている。基台３２の上側には外枠３４（パチンコ機３５）を下方から支持するための下方支持板３６が固定され、上部取付部３３の下側には外枠３４（パチンコ機３５）を上方から支持するための上方支持板３７が固定されている。各外枠３４は島本体３０に形成された開口部３８の所定の位置に載置され、下方支持板３６および上方支持板３７（図２に示す島固定部２０）へ外枠固定手段（例えば、図１、２に示したレバー式釘打ち機構を有するもの）によって設置される。
【００２１】
図４（ａ）から（ｃ）にレバー式釘打ち機構の一形態を示す。
尚、図４（ａ）に示すレバー式釘打ち機構は、操作レバーを回転操作させて釘が最大の長さまで突出した図２の操作状態を表わしている。
【００２２】
図４（ａ）〜（ｃ）に示されるように、レバー式釘打ち機構１０は、断面コ字状の本体１５と、本体１５に取り付けられる操作レバー１２と、操作レバー１２に取り付けられる釘１１から概略構成されている。本体１５には、操作レバー１２の回転軸１６が係合する長穴状のレバー軸ガイド穴１７が形成されている。また、本体１５の底面２８には、操作レバー１２に取り付けられた釘１１が挿入される釘穴１９と、レバー式釘打ち機構１０を外枠１の上板４または下板５に取り付けるためのネジ穴２１が形成されている。
【００２３】
また、操作レバー１２には、操作レバー１２の回転軸１６が挿入される回転軸穴２２と、釘１１を操作レバー１２に取り付けるために連結軸１８が挿入される連結軸穴２３が形成されている。また、釘１１には連結軸１８が挿入される連結軸穴２４が形成されている。回転軸１６は、一方のレバー軸ガイド穴１７から挿入されて、２つの回転軸穴２２、２２を通って他方のレバー軸ガイド穴１７に挿入されており、その先端部には、回転軸１６の抜けを防止するために、例えば、Ｅリング２５が取り付けられている。連結軸１８は、操作レバー１２の一方の連結軸穴２３から挿入されて、釘１１の連結軸穴２４を通って操作レバー１２の他方の連結軸穴２３に挿入されており、その先端部には、連結軸１８の抜けを防止するために、例えば、Ｅリング２６が取り付けられている。
【００２４】
このような構成により、操作レバー１２を回転操作すると操作レバー１２は回転軸１６の廻りを回転し、回転軸１６は、操作レバー１２の回転に伴なって、係合している長穴状のレバー軸ガイド穴１７に沿って移動する。また、操作レバー１２に取り付けられた釘１１は、釘穴１９および図外の上板４または下板５に形成された釘ガイド穴２７（後述する）に挿入されているため、操作レバー１２の回転に伴なって連結軸１８の廻りを回転する。よって、釘１１は、略鉛直方向に維持されると共に、操作レバー１２のテコ作用によりレバー式釘打ち機構１０の外部（図４（ａ）、（ｃ）において下方向）に突出される。
【００２５】
図５に示されるレバー式釘打ち機構１０'は、側板２、３と上板４あるいは下板５間を連結補強するＬ字補強金具６（図１参照）に、図４（ａ）に示すレバー式釘打ち機構１０を一体成形したものである。Ｌ字補強金具６に一体成形されている点と、図４（ａ）に示す本体１５のネジ穴２１が形成されていない点以外は、図４（ａ）に示すレバー式釘打ち機構１０と同じ構造を有している。従って、同様の部材については同じ部番を付してある。
【００２６】
このような構成にすることにより、Ｌ字補強金具６を外枠１に取り付けるだけで済み、個別のネジ止め取り付け作業をなくすことができ、作業効率を向上させることができる。その他の作用効果については図４に示すレバー式釘打ち機構と同様である。
【００２７】
図６に示されるレバー式釘打ち機構１０"は、図４（ａ）に示すレバー式釘打ち機構１０と同様に、外枠１の上板４または下板５にネジ止めによって固定される。レバー式釘打ち機構１０"の本体１５'は、薄板形状を有し、上板４または下板５への固定用のネジ穴２１'が形成されている。また、本体１５'の略中央部には、支柱３０が立直し、操作レバー１２'が支柱３０に取り付けられている。操作レバー１２'は支点３１を中心に回転操作され、操作レバー１２'の回転に伴なって操作レバー１２'に取り付けられた釘１１'が本体１５'に形成された釘穴１９' および図外の上板４または下板５に形成された釘ガイド穴２７（後述する）にガイドされ上下方向に移動する。操作レバー１２'は支点３１の位置で「く」の字に曲がった形状を有しており、操作部分（釘１１'が取り付けられている端部とは反対方向の端部近傍部分）が本体１５'と略平行に配設されているとき（図６において実線で示される位置のとき）には、釘１１'は上方向に移動して、本体１５'から下方側に突出した釘１１'が短い状態となっている。
【００２８】
本体１５'と略平行に配設された状態の操作レバー１２'を矢印Ｐの方向に回転操作させていくと、操作レバー１２'の回転に伴なって釘１１'は下方向に移動する。そして、操作レバー１２'が矢印Ｐの方向に略９０°回転した状態（図６において点線で示される位置）では、釘１１'は上記実線で示される位置（上方向に移動した位置）から下方向に移動して略最下点の位置まで達した状態となる。また、釘１１'が係合している操作レバー１２'の端部には、長穴形状の釘端部ガイド穴３２が形成されている。操作レバー１２'の回転操作に伴なって釘１１'の端部がこの釘端部ガイド穴３２に沿って移動し、この移動によって釘１１'は略鉛直方向の状態に保持され、的確に島内に圧入される。従って、この形態によるレバー式釘打ち機構１０"によれば、上板４または下板５に取り付けて、操作レバー１２'を略９０°回転操作させるのみで外枠１を島に確実に固定することができる。
【００２９】
更に、レバー式釘打ち機構の別の形態として、図示は省略するが、図６に示されるレバー式釘打ち機構１０"において、操作レバー１２'の端部に支点３１を中心とした弧状の釘１１"を固定的に設けるもの（以下、釘一体型ともいう）がある。外枠１の左右側板２、３と上板４と下板５とを断面コ字状の金属板で形成すると共に、それぞれの開放側を内向きにして連結させ金属製外枠を形成する。上板４および下板５の底面に直接、支柱３０と釘穴１９'を設け、上記釘一体型の操作レバー１２'を取り付ける。このような構成のレバー式釘打ち機構の場合、釘穴１９'および上板４または下板５に形成された釘ガイド穴２７（後述する）によるガイドがなくても釘１１"を的確な方向に圧入させることができる。
【００３０】
図７から図１２に、レバー式釘打ち機構１０によって外枠１が島２０に取り付けられる際の各部材の様子を、操作レバー１２の各回転操作段階において示す。尚、図の見易さを考慮して、図４に示すレバー式釘打ち機構１０を用いた場合について説明する。また、図１および図２の右下に配置されているレバー式釘打ち機構１０ｃの向きおよび動きに対応したものである。
【００３１】
図７に示すレバー式釘打ち機構１０は、下板５にネジ止めされただけの状態、即ち、外枠１を島に取り付けるための操作レバー１２の回転操作が未だされていない状態を示している（図１に示される操作レバーの状態に対応している）。操作レバー１２は回転操作範囲の左方向端部に配置されており（操作レバー１２の端部が下板５の上面に接触した状態であり）、本体１５から下方向に飛び出している釘１１の部分が、下板５に形成された釘ガイド穴２７に挿入されている。釘１１の先端は釘ガイド穴２７内に配置され、下板５の下面から下方向には突出していない。回転軸１６は、レバー軸ガイド穴１７の中央から少し左方向にずれた位置に係合している。尚、操作レバー１２をこの状態に保持するストッパ機構を設ければ、島に固定される前の外枠１を移動させる（運搬する）際に、釘１１の先端が下板５の下面から突出することがなく安全を確保できる。
【００３２】
図８に示すレバー式釘打ち機構１０は、図７に示す操作レバー１２が矢印Ｑ方向に回転操作された状態を示している。操作レバー１２は、回転軸１６を中心に回転すると共にレバー軸ガイド穴１７に沿って左方向へ移動する。操作レバー１２の回転に伴なって、連結軸１８を介して操作レバー１２に取り付けられている釘１１は下方向に押圧され、下板５の下面から突出し、島２０内に圧入される。
【００３３】
図９に示すレバー式釘打ち機構１０は、操作レバー１２が図８に示す操作レバー１２の位置からさらに矢印Ｑ方向に回転操作された状態を示している。操作レバー１２は、回転軸１６を中心に回転すると共にレバー軸ガイド穴１７に沿ってさらに移動し、レバー軸ガイド穴１７の左端部まで達している。操作レバー１２の回転に伴なって、釘１１はさらに下板５の下面から突出し、島２０内に圧入される。
【００３４】
図１０に示すレバー式釘打ち機構１０は、操作レバー１２が図９に示す位置からさらに矢印Ｑ方向に回転操作され、図１１に示すレバー式釘打ち機構１０は、操作レバー１２が図１０に示す位置からさらに矢印Ｑ方向に回転操作された状態を示している。操作レバー１２は、回転軸１６を中心に回転すると共に、図９の左端部まで達した状態からレバー軸ガイド穴１７に沿って右方向へ移動する。操作レバー１２の回転に伴なって、釘１１はさらに下板５の下面から突出し、島２０内に圧入されている。
【００３５】
図１２に示すレバー式釘打ち機構１０は、操作レバー１２が図１１に示す位置からさらに矢印Ｑ方向に回転操作され、回転操作範囲の右方向端部に配置された状態、即ち、外枠１を島に取り付けるための操作レバー１２の回転操作が終了した状態を示している（図２に示される操作レバーの状態に対応している）。操作レバー１２の端部が下板５の上面に接触した状態であり、図７に示す操作レバー１２の状態から略１８０°回転操作されている。操作レバー１２は、回転軸１６を中心に回転すると共にレバー軸ガイド穴１７に沿ってさらに移動し、レバー軸ガイド穴１７の右端部まで達している。操作レバー１２の回転に伴なって、下方向に押圧された釘１１は最下部の位置まで達し、さらに下板５の下面から突出して島２０内に圧入される。尚、このとき島に圧入される釘の長さは、２０ｍｍ以上であることが望ましい。
【００３６】
レバー式釘打ち機構１０、１０'を構成する各部材は、操作レバー１２の回転操作に伴なって上述するように動作するので、レバー式釘打ち機構１０、１０'を上板４または下板５に取り付けて（レバー式釘打ち機構１０'の場合にはＬ字補強金具６を外枠１に取り付けて）、操作レバー１２を略１８０°回転操作させるのみで外枠１を島に確実に固定することができ、作業効率を大幅に向上させることができる。
【００３７】
外枠１には、図１、図２に示すように、レバー式釘打ち機構１０、１０'、１０"が複数個（例えば、４個）取り付けられることとなるが、例えば、図１、図２に示すレバー式釘打ち機構１０ａ〜１０ｄの場合、以下のような順序でレバー式釘打ち機構１０ａ〜１０ｄを回転操作させる。
【００３８】
外枠１を島（図３に示す開口部３８）に載置し、下板５を所定の取り付け位置に設置する。この状態においてレバー式釘打ち機構１０ｃ、１０ｄの操作レバー１２ｃ、１２ｄを途中まで（例えば、図９に示す操作レバー１２の位置まで）回転操作させ、釘１１ｃ、１１ｄの一部分を突出させて下板５のみを島２０（図３において下方支持板３６に相当する）に仮固定した状態にする。この仮固定の状態において、鉛直方向に対する外枠１のねかせ傾斜の調整を行なう。操作レバー１２ｃ、１２ｄが操作されて釘１１ｃ、１１ｄの一部分が島２０に圧入される段階で、外枠１全体が上方向に押し上げられ、外枠１の上板４が島２０（図３において上方支持板３７に相当する）に当接し、上板４の上面に摩擦力が働いているため外枠１の上部分がふらつかず安定した状態になっているので、ねかせ傾斜の調整を容易に行うことができる。そして、ねかせ傾斜の調整後に操作レバー１２ａ、１２ｂを回転操作して上板４を島２０に固定すると共に、操作レバー１２ｃ、１２ｄを回転操作最終状態（図２のレバー式釘打ち機構１０ｃ、１０ｄの状態）まで回転操作する。この操作手順により外枠１の島２０への取り付けを迅速、かつ確実に行なうことができ、作業効率を大幅に向上させることができる。
【００３９】
また、島２０に取り付けられた外枠１を取り外す場合には、操作レバー１２、１２'を外枠１取付け時とは逆方向に回転操作させればよい。例えば、図７から図１２に示す操作レバー１２の回転操作において、図１２の位置まで操作されている操作レバー１２を矢印Ｑとは逆方向に回転させ、図７に示す操作レバー１２の位置まで回転操作することにより、レバー式釘打ち機構１０の釘１１を島２０から抜くことができ、外枠１を島から取り外すことができる。即ち、操作レバー１２を略１８０°回転操作させるだけで、外枠１を島から容易に取り外すことができ、作業効率を大幅に向上させることができる。
【００４０】
また、外枠１を島から取り外す場合にも、上記のように外し操作はレバー式釘打ち機構１０の操作レバー１２を回転させるのみであるため、パチンコ機本体（遊技機枠、ガラス枠セット、一体皿セット）を外枠１に取り付けたままの状態で、パチンコ機本体を開いて（いわゆる前枠を開いて）、パチンコ機の前面側から操作レバー１２を操作することにより外枠１を島から容易に取り外すことができ、作業効率を大幅に向上させることができる。
【００４１】
【発明の効果】
本発明に係る請求項１のパチンコ機の外枠固定構造によれば、外枠の上板または下板に設けられたレバー式釘打ち機構の操作レバーを回転操作させることにより、釘を突出させ、その釘を島の固定部に圧入させることができるので、容易かつ確実に外枠を島に設置することができると共に、作業効率を大幅に向上させることができる。
【００４２】
本発明に係る請求項２のパチンコ機の外枠固定構造によれば、外枠の上板または下板に取り付けられたレバー式釘打ち機構は、外枠を島に固定する操作レバーの回転操作以前には、レバー式釘打ち機構本体の底面から下方外部に飛び出している釘の一部分が、上板または下板の釘ガイド穴に挿入されているので、操作レバーの回転操作に伴なって突出する釘を島に向かって適切に誘導することができ、的確に島に圧入させて、確実に外枠を島に設置することができる。
【００４３】
本発明に係る請求項３のパチンコ機の外枠固定構造によれば、レバー式の釘打ち機構はＬ字補強金具と一体成形されているので、レバー式の釘打ち機構を外枠の上板または下板へ個別にネジ止めする作業を無くすことができ、外枠を島に装着する際の作業効率を大幅に向上させることができる。
【図面の簡単な説明】
【図１】外枠固定構造を備えたパチンコ機の外枠の一形態を示す背面図である。
【図２】図１に示す外枠を島に取り付けた状態を示す図である。
【図３】外枠が取り付けられる島の構造を示す図である。
【図４】（ａ）は、レバー式釘打ち機構の一形態を示す全体斜視図である。
（ｂ）は、レバー式釘打ち機構を構成する操作レバーと釘を表わす斜視図である。
（ｃ）は、（ａ）を矢印Ｓ方向から見たときの図である。
【図５】レバー式釘打ち機構の別の一形態を示す全体斜視図である。
【図６】レバー式釘打ち機構の別の一形態を示す図である。
【図７】操作レバーの回転操作の一段階における各部材の様子を示す図である。
【図８】操作レバーの回転操作の一段階における各部材の様子を示す図である。
【図９】操作レバーの回転操作の一段階における各部材の様子を示す図である。
【図１０】操作レバーの回転操作の一段階における各部材の様子を示す図である。
【図１１】操作レバーの回転操作の一段階における各部材の様子を示す図である。
【図１２】操作レバーの回転操作の一段階における各部材の様子を示す図である。
【符号の説明】
１    外枠
２、３  側板
４    上板
５    下板
６    Ｌ字金具
１０  レバー式釘打ち機構
１１  釘
１２  操作レバー
１５  本体
１６  回転軸
１７  レバー軸ガイド穴
１８  連結軸
１９  釘穴
２０  島（島の固定部）
２２  回転軸穴
【図１】
2004208826.tif 000003
【図２】
2004208826.tif 000004
【図３】
2004208826.tif 000005
【図４】
2004208826.tif 000006
【図５】
2004208826.tif 000007
【図６】
2004208826.tif 000008
【図７】
2004208826.tif 000009
【図８】
2004208826.tif 000010
【図９】
2004208826.tif 000011
【図１０】
2004208826.tif 000012
【図１１】
2004208826.tif 000013
【図１２】
2004208826.tif 000014